(57)【要約】      （修正有）【課題】丈夫で容易に断裂することのない炭化バット構造を提供する。【解決手段】マトリックスに配列され、隣同士が互いに垂直する炭化竹木材からなるコア層を有する若干の中心体が接着され、該中心体は、若干の炭化竹木片を接着して短尺状や長尺状になり、上記の構造により、コア層の各中心体が炭化竹木材であるため、硬度や重さ、弾性、強度及び靭性が向上され、また、コア層の高靭性と高密度により、受力強度が均一的で、有効に力学原理を利用して打撃することによる振動力を吸収移転でき、それとともに、コア層を利用して、より優れた使用形態になる。【選択図】図３
0003145512.tif 000002
【実用新案登録請求の範囲】
【請求項１】
各種類のコア層を有する棒状運動道具とするバットであって、コア層が、若干の、マトリックスに配列され隣同士が互いに垂直して接着される中心体からなり、該中心体が、若干の接着された炭化竹片や炭化木片からなる短尺状や長尺状で、全体として、硬度や重さ、弾性、強度及び靭性が向上されるバットが形成される、ことを特徴とする炭化バット構造。
【請求項２】
各種類のコア層を有する棒状運動道具とするバットであって、コア層が、若干の、マトリックスに配列され隣同士が互いに垂直して接着される中心体からなり、該中心体が、若干の接着された竹片からなる短尺状や長尺状である、ことを特徴とする炭化バット構造。
【請求項３】
ビリヤード用キューのバットとすることを特徴とする請求項１か２に記載の炭化バット構造。
【請求項４】
若干の受力体からなる被覆層に合わせて、握り部と打撃部が形成される野球バットとすることを特徴とする請求項１か２に記載の炭化バット構造。
【請求項５】
受力体が、若干の竹片を接着してからなる矩形で、各矩形が、マトリックスに配列され、隣同士が互いに垂直することを特徴とする請求項４に記載の炭化バット構造。
【請求項６】
受力体が、若干の炭化竹片や炭化木片を接着してからなる矩形で、各矩形が、マトリックスに配列され、隣同士が互いに垂直することを特徴とする請求項４に記載の炭化バット構造。
【請求項７】
中心体が、横方向や縦方向に接着されて、マトリックスに配列され、隣同士が、互いに垂直することを特徴とする請求項１か２に記載の炭化バット構造。
【請求項８】
各種類の規格に応じて、重量を調整できることを特徴とする請求項４に記載の炭化バット構造。
【請求項９】
中心体の各炭化竹片や炭化木片が、横方向に平行して長尺状に配列され、中段の二箇所において、中心体の各炭化竹片や炭化木片が、縦方向に平行して短尺状に配列され、各短尺状と各長尺状とが、互いに垂直して接着されることを特徴とする請求項１に記載の炭化バット構造。
【請求項１０】
中心体の各炭化竹片や炭化木片が、縦方向に平行して、或いは、横方向に平行して、短尺状に配列され、各短尺状が、マトリックスに配列され、隣同士が互いに垂直することを特徴とする請求項１に記載の炭化バット構造。
【請求項１１】
中心体の各竹木片が、横方向に平行して、長尺状に配列され、中段の二箇所において、中心体の各竹木片が、縦方向に平行して短尺状に配列され、また、各短尺状と各長尺状とが、互いに垂直して接着されることを特徴とする請求項２に記載の炭化バット構造。
【請求項１２】
中心体の各竹木片が、縦方向に平行して、或いは横方向に平行して、短尺状に配列され、また、各短尺状が、マトリックスに配列され、隣同士が、互いに垂直することを特徴とする請求項２に記載の炭化バット構造。
【考案の詳細な説明】
【技術分野】
【０００１】
本考案は、炭化バット構造に関し、特に、炭化竹木を利用して、硬度や重さ、弾性、強度及び靭性が向上され、また、コア層の各中心体が、互いに垂直するか平行することにより、コア層の密度が向上されてバット全体の耐震性や吸収性が向上されるものに関する。
【背景技術】
【０００２】
図１のように、従来のバット１０は、コア層１１と被覆層１２からなり、上記コア層１１は、若干の竹片１１１を並行して接着してからなるか、若干の竹片１１１’を縦方向に配列して粘着してからなり（図２のように）、若干の竹片１２１を粘着してからなる被覆層１２を、縦方向に密着にコア層１１上に粘着して、バットの形状に加工した後、打撃部と握り部を形成する。上記のような従来構造は、１、コア層１１が一方向に粘着され、より良い打撃形態を発揮するため、打撃する時、打撃位置を注意し泣けられならなく、２、そのコア層１１により、有効に余計な衝撃力を受けないため、耐震力が悪くて、不注意と、傷付きやすく、また、握り部が容易に断裂し、３、そのバット１０が、一般の実目な木竹材からなるため、手で握る時、重くて、打撃者の負担になる、などの欠点がある。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、炭化竹木を利用して、硬度や重さ、弾性、強度及び靭性が向上され、また、コア層の各中心体が、互いに垂直するか平行することにより、コア層の密度が向上されてバット全体の耐震性や吸収性が向上され、また、握り部に、より良い丈夫性が得られ、容易に断裂しない炭化バット構造を提供する。
【課題を解決するための手段】
【０００５】
請求項１の考案は、各種類のコア層を有する棒状運動道具とするバットであって、コア層が、若干の、マトリックスに配列され隣同士が互いに垂直して接着される中心体からなり、該中心体が、若干の接着された炭化竹片や炭化木片からなる短尺状や長尺状で、全体として、硬度や重さ、弾性、強度及び靭性が向上されるバットが形成される、ことを特徴とする炭化バット構造である。
【０００６】
請求項２の考案は、各種類のコア層を有する棒状運動道具とするバットであって、コア層が、若干の、マトリックスに配列され隣同士が互いに垂直して接着される中心体からなり、該中心体が、若干の接着された竹片からなる短尺状や長尺状である、ことを特徴とする炭化バット構造である。
【０００７】
請求項３の考案は、ビリヤード用キューのバットとすることを特徴とする請求項１か２に記載の炭化バット構造である。
【０００８】
請求項４の考案は、若干の受力体からなる被覆層に合わせて、握り部と打撃部が形成される野球バットとすることを特徴とする請求項１か２に記載の炭化バット構造である。
【０００９】
請求項５の考案は、受力体が、若干の竹片を接着してからなる矩形で、各矩形が、マトリックスに配列され、隣同士が互いに垂直することを特徴とする請求項４に記載の炭化バット構造である。
【００１０】
請求項６の考案は、受力体が、若干の炭化竹片や炭化木片を接着してからなる矩形で、各矩形が、マトリックスに配列され、隣同士が互いに垂直することを特徴とする請求項４に記載の炭化バット構造である。
【００１１】
請求項７の考案は、中心体が、横方向や縦方向に接着されて、マトリックスに配列され、隣同士が、互いに垂直することを特徴とする請求項１か２に記載の炭化バット構造である。
【００１２】
請求項８の考案は、各種類の規格に応じて、重量を調整できることを特徴とする請求項４に記載の炭化バット構造である。
【００１３】
請求項９の考案は、中心体の各炭化竹片や炭化木片が、横方向に平行して長尺状に配列され、中段の二箇所において、中心体の各炭化竹片や炭化木片が、縦方向に平行して短尺状に配列され、各短尺状と各長尺状とが、互いに垂直して接着されることを特徴とする請求項１に記載の炭化バット構造である。
【００１４】
請求項１０の考案は、中心体の各炭化竹片や炭化木片が、縦方向に平行して、或いは、横方向に平行して、短尺状に配列され、各短尺状が、マトリックスに配列され、隣同士が互いに垂直することを特徴とする請求項１に記載の炭化バット構造である。
【００１５】
請求項１１の考案は、中心体の各竹木片が、横方向に平行して、長尺状に配列され、中段の二箇所において、中心体の各竹木片が、縦方向に平行して短尺状に配列され、また、各短尺状と各長尺状とが、互いに垂直して接着されることを特徴とする請求項２に記載の炭化バット構造である。
【００１６】
請求項１２の考案は、中心体の各竹木片が、縦方向に平行して、或いは横方向に平行して、短尺状に配列され、また、各短尺状が、マトリックスに配列され、隣同士が、互いに垂直することを特徴とする請求項２に記載の炭化バット構造である。
【００１７】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１８】
図３と４のように、本考案に係るバット２０は、野球バット２０１やビリヤード用キューのバット２０２（図3の１のように）等のコア層２１の棒状運動道具であって、そのコア層２１は、若干の四角形の中心体２１１をマトリックスに配列して、隣同士が互いに垂直するように接着され、また、中心体２１１（図５のように）は、横方向や縦方向にマトリックスに配列して隣同士が互いに垂直するように接着され、また、若干の炭化竹片や炭化木片２１１１を接着することにより短尺状になり、そして、高温炭化や高温水蒸気により、木竹材が炭化され、そのため、植物繊維の収縮を利用して、木竹材の緻密度が、一段に向上され、また、従来の未炭化木竹材に比較して、炭化木竹材が、より軽くて、より専門的にバットに適用され、同時に、木竹製のバットの強度や靭性がより良いため、野球バット全体としての耐震性が向上され、使用する時、手部の不快適感が大幅に低減され、また、バットが断裂する確率が低下され、硬度や重さ、弾性、強度及び靭性が向上されたコア層２１が形成され、該コア層２１を、直接に、野球バット２０１やビリヤード用キューのバット２０２（図１２のように）の心棒に加工され、また、心桿の表層に、保護層が形成され、そのため、心桿端部で、力学作用を利用して、より良い打撃部２３が形成されて、握り部２４の安定性が維持され、或いは、若干の竹木片２２１１を接着して、受力体２２１とし、また、縦方向に未着するようにコア層２１上に接着して、被覆層２２が形成され、そして、打撃部２３と握り部２４を形成し、握り部２４（図６のように）が、コア層２１の構造を有し、また、他の部位は、被覆層２２とコア層２１とを有する構造により、バット２０は、より良い打撃部２３が形成され、また、有効に力学作用を利用してその受力を移転でき、さらに、バット２０の強度を強化して、握り部２４の安定性を維持し、また、野球バット２０１（図７のように）は、各種類の規格に応じて、減量することが必要であれば、バット２０の予定位置に減量層２５を設ければよい。
【００１９】
図８のように、本考案のコア層２１の各中心体２１１と被覆層２２の各受力体２２１は、若干の炭化竹片や炭化木片２２１１’を接着してからなることにより、全体としての硬度や重さ、弾性、強度及び靭性が向上されるバットが形成される。
【００２０】
図９のように、本考案のバット２０のコア層２１は、若干の竹木片の中心体２１１を接着してからなり、該中心体２１１は、若干の竹木片２１１１’を短尺状に接着してからなり、被覆層２２と打撃部２３及び握り部２４は、若干の炭化竹片や炭化木片を接着してからなることにより、全体としての硬度や重さ、弾性、強度及び靭性が向上されるバットが形成される。
【００２１】
図１０のように、本考案のバット３０のコア層３１は、若干の中心体３１１、３１１’からなり、中段に位置する中心体３１１は、若干の横方向に平行して配列される炭化竹片や炭化木片３１１１を接着して、長尺状になり、コア層３１は、中段において、二箇所の中心体３１１’が、若干の縦方向に平行して配列される炭化竹片や炭化木片３１１１’を接着して、短尺状になり、また、短尺状を平行に接着した後、中段の長尺状に垂直するように接着し、上記の組立て配列により、コア層３１全体（図１１のように）を、９０度に正回転や逆回転し、縦方向や横方向に配列して組み立てる。
【００２２】
図１２のように、本考案のバット４０のコア層４１は、若干の中心体４１１、４１１’からなり、該中心体４１１、４１１’は、若干の縦方向に平行して、或いは、横方向に平行して配列される炭化竹片や炭化木片４１１１、４１１１’を接着して短尺状になり、また、短尺状をマトリックスに配列して隣同士が垂直するように接着し、上記の組立て配列により、コア層４１全体（図１３のように）を、９０度に正回転や逆回転し、縦方向や横方向に配列して組み立てる。
【００２３】
そのため、本考案は、より進歩的かつより実用的で、法に従って実用新案登録請求を出願する。
【００２４】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２５】
【図１】従来の立体組立て図
【図２】従来の他の組立て断面図
【図３】本考案の局部立体組立て図
【図３−１】本考案の他の局部立体組立て図
【図４】本考案の組立て断面図１
【図５】本考案の組立て断面図２
【図６】本考案の組立て断面図３
【図７】本考案の組立て断面図４
【図８】本考案の組立て断面図５
【図９】本考案の組立て断面図６
【図１０】本考案の組立て断面図７
【図１１】本考案の組立て断面図８
【図１２】本考案の組立て断面図９
【図１３】本考案の組立て断面図１０
【符号の説明】
【００２６】
２０        バット
２０１     
野球バット
２０２     
ビリヤード用キューのバット
２１        コア層
２１１     
中心体
２１１１    炭化竹片や炭化木片
２１１１’  竹木片
２２        被覆層
２２１     
受力体
２２１１    竹木片
２２１１’  炭化竹片や炭化木片
２３        打撃部
２４        握り部
２５        減量層
３０、４０  バット
３１、４１  コア層
３１１、３１１’、４１１、４１１’  中心体
３１１１、３１１１’、４１１１、４１１１’  炭化竹片や炭化木片
【図１】
0003145512.tif 000003
【図２】
0003145512.tif 000004
【図３】
0003145512.tif 000005
【図３−１】
0003145512.tif 000006
【図４】
0003145512.tif 000007
【図５】
0003145512.tif 000008
【図６】
0003145512.tif 000009
【図７】
0003145512.tif 000010
【図８】
0003145512.tif 000011
【図９】
0003145512.tif 000012
【図１０】
0003145512.tif 000013
【図１１】
0003145512.tif 000014
【図１２】
0003145512.tif 000015
【図１３】
0003145512.tif 000016